(57)【特許請求の範囲】
【請求項１】
無線セルラ通信ネットワークにおいて、ホーム基地局のセル内に位置する移動端末によって該ホーム基地局を識別できるようにする系列を転送するための方法であって、該ホーム基地局と該移動端末との間で転送されるシンボルはガード期間によって分離され、
該方法は、該ホーム基地局によって実行されるステップであって、
少なくとも１つの隣接する基地局又は少なくとも１つの隣接するホーム基地局から、該隣接する基地局又は該隣接するホーム基地局を識別できるようにする系列を受信するステップと、
１つの隣接する基地局又は隣接するホーム基地局を識別できるようにする１つの受信系列を選択するステップと、
前記ホーム基地局の前記セル内のシンボルのフレームの転送の開始を、前記選択された受信系列で識別される前記隣接する基地局又は隣接するホーム基地局によって転送されるシンボルのフレームの受信の開始から、前記ガード期間に少なくとも等しい持続時間だけシフトするステップであって、該シンボルのフレームは、前記隣接する基地局又は隣接するホーム基地局を識別できるようにする前記選択された系列を含む、シフトするステップとを含むことを特徴とする、方法。
【請求項２】
１つの隣接する基地局又は隣接するホーム基地局を識別できるようにする各系列は、フレーム内に含まれる第１の系列及び第２の系列の組み合わせであり、各フレームはサブフレームから構成されることを特徴とし、前記選択された受信系列は前記第１の系列であり、
前記方法は、前記選択された受信系列を用いて識別され、且つ前記ホーム基地局によるシンボルのフレームの転送の開始と同時に、又は該開始からサブフレーム持続時間の倍数において受信され始めるシンボルのフレームを転送する、隣接する基地局又は隣接するホーム基地局を識別する各第２の系列を検出するステップをさらに含むことを特徴とする、請求項１に記載の方法。
【請求項３】
前記方法は、
少なくとも１つの第２の系列が検出されない場合、１つの検出されない第２の系列を選択するステップと、
前記無線セルラ通信ネットワーク内の各第２の系列が検出される場合、別の第１の受信系列を選択するステップと
をさらに含むことを特徴とする、請求項２に記載の方法。
【請求項４】
前記方法は、前記ホーム基地局の前記セル内のシンボルのフレームの転送の開始をシフトするための複数の時間間隔を特定するステップをさらに含むことを特徴とし、前記持続時間毎に、前記無線セルラ通信ネットワーク内の各第２の系列が検出される場合、別の第１の受信系列が選択されることを特徴とする、請求項３に記載の方法。
【請求項５】
前記方法は、
前記無線セルラ通信ネットワーク内の１つの基地局又はホーム基地局を識別できるようにする少なくとも１つの系列が検出されないか否かを調べるステップと、
前記無線セルラ通信ネットワーク内の１つの基地局又はホーム基地局を識別できるようにする少なくとも１つの系列が検出されない場合、１つの基地局又はホーム基地局を識別できるようにする１つの検出されない系列を選択するステップと、
少なくとも１つの隣接する基地局又は隣接するホーム基地局によって転送されるシンボルのフレームの受信の開始時に、前記ホーム基地局の前記セル内のシンボルのフレームを転送し始めるステップとをさらに含むことを特徴とする、請求項１から請求項４までのいずれか１項に記載の方法。
【請求項６】
前記持続時間は、サブフレーム持続時間、又はサブフレーム持続時間の倍数とは異なることを特徴とする、請求項１から請求項５までのいずれか１項に記載の方法。
【請求項７】
前記持続時間は、シンボル持続時間、又はシンボル持続時間の倍数、又はガード期間持続時間、又はガード期間持続時間の倍数であることを特徴とする、請求項６に記載の方法。
【請求項８】
サブフレームにおいてパイロットシンボルが転送されることを特徴とし、
前記持続時間は、
前記第１の系列及び前記第２の系列が、１つの隣接するホーム基地局若しくは隣接する基地局によって転送されるパイロットシンボルと重なり合うか、若しくは１つの隣接するホーム基地局若しくは隣接する基地局によって転送される第１の系列若しくは第２の系列と重なり合うのを避けるように、又は
前記ホーム基地局によって転送されるパイロットシンボルが、１つの隣接するホーム基地局若しくは隣接する基地局によって転送されるパイロットシンボルと重なり合うか、若しくは１つの隣接するホーム基地局若しくは隣接する基地局によって転送される第１の系列若しくは第２の系列と重なり合うのを避けるように
決定されることを特徴とする、請求項７に記載の方法。
【請求項９】
無線セルラ通信ネットワークにおいて、１つ若しくは複数のホーム基地局、又は１つ又は複数の基地局、又は１つ若しくは複数の基地局及び１つ若しくは複数のホーム基地局が、１つの基地局又はホーム基地局を識別できるようにする系列を転送するか否かを、移動端末によって判断するための方法であって、該移動端末は基地局又はホーム基地局のセル内に位置し、該移動端末と該基地局又はホーム基地局との間で転送されるシンボルは、ガード期間によって分離され、
該方法は、該移動端末によって実行されるステップであって、
１つの基地局又は１つのホーム基地局を識別できるようにする系列を２回検出するステップと、
前記系列の前記２回の受信を分離する持続時間が前記ガード期間よりも長いか否かを調べるステップと、
前記系列の前記２回の受信を分離する持続時間が前記ガード期間よりも長い場合、２つのホーム基地局、又は２つの基地局、又は１つの基地局及び１つのホーム基地局が、前記受信系列によって識別されるものと判断するステップと、
前記系列の前記２回の受信を分離する持続時間が前記ガード期間よりも短い場合、前記受信系列によって単一の基地局又はホーム基地局が識別されるものと判断するステップとを含むことを特徴とする、方法。
【請求項１０】
無線セルラ通信ネットワークにおいて、ホーム基地局のセル内に位置する移動端末によって該ホーム基地局を識別できるようにする系列を転送するためのデバイスであって、該ホーム基地局と該移動端末との間で転送されるシンボルはガード期間によって分離され、該デバイスは該ホーム基地局内に含まれ、
少なくとも１つの隣接する基地局又は少なくとも１つの隣接するホーム基地局から、該隣接する基地局又は該隣接するホーム基地局を識別できるようにする系列を受信する手段と、
１つの隣接する基地局又は隣接するホーム基地局を識別できるようにする１つの受信系列を選択する手段と、
前記ホーム基地局の前記セル内のシンボルのフレームの転送の開始を、前記選択された受信系列で識別される前記隣接する基地局又は隣接するホーム基地局によって転送されるシンボルのフレームの受信の開始から、前記ガード期間に少なくとも等しい持続時間だけシフトする手段であって、該シンボルのフレームは、前記隣接する基地局又は隣接するホーム基地局を識別できるようにする前記選択された系列を含む、シフトする手段とを備えることを特徴とする、デバイス。
【請求項１１】
無線セルラ通信ネットワークにおいて、１つ若しくは複数のホーム基地局、又は１つ若しくは複数の基地局、又は１つ若しくは複数の基地局及び１つ若しくは複数のホーム基地局が、１つの基地局又はホーム基地局を識別できるようにする系列を転送するか否かを特定するためのデバイスであって、該デバイスは基地局又はホーム基地局のセル内に位置する移動端末内に含まれ、該移動端末と該基地局又はホーム基地局との間で転送されるシンボルは、ガード期間によって分離され、
該デバイスは、
１つの基地局又は１つのホーム基地局を識別できるようにする系列を２回検出する手段と、
前記系列の前記２回の受信を分離する持続時間が前記ガード期間よりも長いか否かを調べる手段と、
前記系列の前記２回の受信を分離する持続時間が前記ガード期間よりも長い場合、２つのホーム基地局、又は２つの基地局、又は１つの基地局及び１つのホーム基地局が、前記受信系列によって識別されるものと判断する手段と、
前記系列の前記２回の受信を分離する持続時間が前記ガード期間よりも短い場合、前記受信系列によって単一の基地局又はホーム基地局が識別されるものと判断する手段とを備えることを特徴とする、デバイス。
【請求項１２】
プログラム可能なデバイスに直接ロード可能にすることができるコンピュータプログラムであって、該コンピュータプログラムは、該コンピュータプログラムがプログラム可能なデバイス上で実行されるときに、請求項１から請求項９までのいずれか１項に記載の方法のステップを実施するための命令又はコードの一部を含む、コンピュータプログラム。
【発明の詳細な説明】
【技術分野】
【０００１】
本発明は包括的には、無線セルラ通信ネットワークにおいて、ホーム基地局のセル内に位置する移動端末によってホーム基地局を識別できるようにする系列(シーケンス：sequence)を転送するための方法及びデバイスに関する。
【背景技術】
【０００２】
無線セルラ通信ネットワークが広く展開されているが、依然として、無線セルラ通信ネットワークの基地局によってサービス提供されないいくつかのエリアがある。
【０００３】
たとえば、基地局によって放射される信号が過度に減衰すると、建物内に位置する移動端末は、無線セルラ通信ネットワークにアクセスすることができない場合がある。
【０００４】
現在では解決策が提案されている。ホーム基地局又はフェムト基地局のような特定の基地局が、建物内のサービスエリアを提供する。
【０００５】
ホーム基地局又はフェムト基地局が提供するサービスエリアは限られる。
【０００６】
ホーム基地局によれば、それぞれの資源を通して、移動端末が無線セルラ通信ネットワークにアクセスできるようになるが、その数は限られる場合がある。
【０００７】
各ホーム基地局又は基地局は、その物理層においてホーム基地局ＨＢＳを特徴付ける、自身のセルに関する物理セル識別(physical cell identity)（ＰＣＩＤ）を有する。
【０００８】
ホーム基地局のセルが複数のセクタから構成される場合、ホーム基地局はセクタと同じ数だけＰＣＩＤを有することに本明細書では留意されたい。
【０００９】
たとえば、ＰＣＩＤは２つの系列から構成され、ＰＳＣ系列と呼ばれる第１の系列は一次同期チャネル(Primary Synchronisation Channel)（ＰＳＣ）において転送され、ＳＳＣと呼ばれる第２の系列は二次同期チャネル(Secondary Synchronisation Channel)（ＳＳＣ）において転送される。
【００１０】
たとえば、無線セルラ通信ネットワークでは３つのＰＳＣ系列が利用可能であり、各系列は良好な時間自己相関特性を有する。
【００１１】
たとえば、無線セルラ通信ネットワークでは１６８のＳＳＣ系列が利用可能であり、各系列は良好な時間自己相関特性を有する。
【００１２】
それゆえ、上記の例によれば、ＰＣＩＤの全数は５０４に等しい。
【００１３】
３つの異なる同期セルに対して効率的な時間同期を確保するために、３つのＰＳＣ系列は概ね直交する。
【００１４】
たとえば、ＰＳＣ系列はチャネル推定のために用いられる場合があり、ＳＳＣ系列をコヒーレントに検出できるようにする。
【００１５】
セルが小さなエリアをカバーするとき、且つ同じエリア内に多数のホーム基地局が配置される場合があるとき、移動端末によって複数のＰＳＣ系列が同期して受信される。少なくとも２つのホーム基地局によって同じＰＳＣ系列が用いられる場合、その移動端末は、それらのＰＳＣ系列を合成したものを受信する場合があり、それらの系列は弱め合う場合がある。
【００１６】
重なり合うエリア内に配置される複数のセクタ又はセルに対して同じ系列が用いられる場合、重なり合うエリア内に位置する移動端末は、そのＰＳＣ系列から、複数のチャネルの和に対応する存在しないチャネルを推定し、それによりＳＳＣ系列の検出が大きく劣化する。
【００１７】
２つの隣接するホーム基地局によって、又は隣り合うホーム基地局及び基地局によって、同じＰＳＣ系列が用いられる場合、ＰＳＣ系列及びＳＳＣ系列による移動端末チャネル推定は大きく劣化する。
【００１８】
系列の数は限られているため、２つの隣接するセル内で同じＰＳＣ系列を有する可能性が非常に高い。
【００１９】
さらに、２つの隣接するホーム基地局、又は隣り合うホーム基地局及び基地局が同じＰＣＩＤを有する場合、パイロットシンボル又はパイロット信号とも呼ばれる基準信号(reference signals)（ＲＳ）によるチャネル推定は大きく劣化し、移動端末が信頼性のある測定を実行すること、及び移動端末が対応するセルのグローバルセル識別(global cell identities)（ＧＣＩＤ）を読み取ることは不可能である場合もある。
【００２０】
ＧＣＩＤは、ホーム基地局又は基地局を一意に識別する。
【００２１】
或るホーム基地局から別のホーム基地局にハンドオーバできるようにするために、その移動端末は、隣接するセルのＲＳに関するいくつかの測定を実行する。
【００２２】
移動端末は隣接するセルにおいて同期を実行し、その後、たとえば、この隣接するセルの基準信号の受信電力を測定する。基準信号系列、及び時間／周波数領域内の基準信号系列の位置は、この隣接するセルを管理するホーム基地局のＰＣＩＤによる。所与の時間期間にわたって測定した後に、移動端末は、その移動端末に現在サービス提供しているホーム基地局に、測定値及び対応するＰＣＩＤを含む報告を送信する。
【００２３】
移動端末が或るホーム基地局の資源を通して遠隔通信デバイスとの通信を確立又は継続することができるとき、そのホーム基地局は移動端末にサービス提供している。
【００２４】
いくつかのホーム基地局又は基地局が同じＰＣＩＤを有し、且つ移動端末にサービス提供しているホーム基地局の近くにある場合、その移動端末にサービス提供しているホーム基地局は、測定値をホーム基地局又は基地局に関連付けることはできない。
【００２５】
その際、移動端末ＭＴにサービス提供しているホーム基地局は、隣接するホーム基地局又は隣接する基地局のＧＣＩＤを読み取るように移動端末に要求する必要があり、それは、ＰＣＩＤを得ることよりも時間を要する。
【００２６】
ホーム基地局は、所与のＰＣＩＤに対応するＧＣＩＤを読み取り、それを報告するように移動端末に要求することによって、それらの移動端末を通してホーム基地局の環境を調べることができる。
【００２７】
これらの報告に基づいて、ホーム基地局は、ＰＣＩＤ−ＧＣＩＤ関係を含む、自身の隣接基地局リストを作成することができる。
【００２８】
さらに、ホーム基地局は、ネットワークによって送信され、且つ移動端末報告内へと識別されるＰＣＩＤを除去するか、又はホーム基地局の中に備えられるダウンリンク受信機を用いて収集されるＰＣＩＤを除去することによって制限されるＰＣＩＤのリストに基づいて、自力でそのＰＣＩＤを特定することができる。
【００２９】
ホーム基地局のセルのサービスエリアが小さく、その半径が数十メートル程度であることに起因して、隣接するホーム基地局間の伝搬時間は１マイクロ秒未満である。
【００３０】
その伝搬時間は所定の持続時間(time duration)よりも短い。
【００３１】
その持続時間は、シンボル持続時間若しくはシンボル持続時間の倍数、又はガード期間持続時間若しくはガード期間持続時間の倍数とすることができるか、或いはそれらのシンボルが直交周波数分割多重化(Orthogonal Frequency Division Multiplexing)（ＯＦＤＭ）シンボルであるときには、その持続時間は、ガード期間とも呼ばれる、ＯＦＤＭサイクリックプレフィックスとすることができる。
【００３２】
こうして、ホーム基地局が信号を同期させて送信する場合、それらの信号は移動端末においても同期して受信され、種々の伝搬遅延がマルチパス伝搬遅延として認識される。
【発明の概要】
【発明が解決しようとする課題】
【００３３】
本発明は、セルが互いに重なり合う２つのホーム基地局によって、同期、チャネル推定及び通信を妨げるように同じＰＳＣ系列又は同じＰＣＩＤが用いられるのを避けることを目的とする。
【課題を解決するための手段】
【００３４】
このために、本発明は、無線セルラ通信ネットワークにおいて、ホーム基地局のセル内に位置する移動端末によって該ホーム基地局を識別できるようにする系列を転送するための方法であって、該ホーム基地局と該移動端末との間で転送されるシンボルはガード期間によって分離され、該方法は、該ホーム基地局によって実行されるステップであって、
少なくとも１つの隣接する基地局又は少なくとも１つの隣接するホーム基地局から、該隣接する基地局又は該隣接するホーム基地局を識別できるようにする系列を受信するステップと、
１つの隣接する基地局又は隣接するホーム基地局を識別できるようにする１つの受信系列を選択するステップと、
ホーム基地局のセル内のシンボルのフレームの転送の開始を、選択された受信系列で識別される場合がある隣接する基地局又は隣接するホーム基地局によって転送される場合があるシンボルのフレームの受信の開始から、ガード期間に少なくとも等しい持続時間だけシフトするステップであって、該シンボルのフレームは、隣接する基地局又は隣接するホーム基地局を識別できるようにする選択された系列を含む、シフトするステップとを含むことを特徴とする、方法に関する。
【００３５】
本発明は、無線セルラ通信ネットワークにおいて、ホーム基地局のセル内に位置する移動端末によって該ホーム基地局を識別できるようにする系列を転送するためのデバイスであって、該ホーム基地局と該移動端末との間で転送されるシンボルはガード期間によって分離され、該デバイスは該ホーム基地局内に含まれ、
少なくとも１つの隣接する基地局又は少なくとも１つの隣接するホーム基地局から、該隣接する基地局又は該隣接するホーム基地局を識別できるようにする系列を受信する手段と、
１つの隣接する基地局又は隣接するホーム基地局を識別できるようにする１つの受信系列を選択する手段と、
ホーム基地局のセル内のシンボルのフレームの転送の開始を、選択された受信系列で識別される場合がある隣接する基地局又は隣接するホーム基地局によって転送される場合があるシンボルのフレームの受信の開始から、ガード期間に少なくとも等しい持続時間だけシフトする手段であって、該シンボルのフレームは、隣接する基地局又は隣接するホーム基地局を識別できるようにする選択された系列を含む、シフトする手段とを備えることを特徴とする、デバイスにも関する。
【００３６】
それゆえ、隣接する２つの異なるホーム基地局、又は１つの隣接するホーム基地局及び１つの隣接する基地局を識別できるようにする２つの同じ系列は、移動端末において同期して受信されない。
【００３７】
その際、移動端末は、２つの異なるホーム基地局、又は１つの基地局及び１つのホーム基地局を正確に区別し、正確な同期を実行して、チャネル推定を改善することができる。
【００３８】
実際には、隣接する２つの異なるホーム基地局、又は隣接するホーム基地局及び隣接する基地局から同じ系列が到来することを特定しないことによって、たとえば、その系列がチャネル推定のためにも用いられる場合、同期ステップ及びチャネル推定ステップがさらに劣化する場合がある。この場合、２つのホーム基地局、又は１つのホーム基地局及び１つの基地局のチャネルの和が推定されることになり、それが受信機の性能を劣化させる。
【００３９】
移動端末が、隣接する２つの異なるホーム基地局、又は１つの隣接するホーム基地局及び１つの隣接する基地局から、ガード期間よりも大きな遅延を伴って同じ系列を受信する場合、その移動端末が、その遅延がマルチパス伝搬に起因するのではなく、隣接する２つの異なるホーム基地局、又は１つの隣接するホーム基地局及び１つの隣接する基地局に関連付けられるという結論に達するのは容易である。
【００４０】
持続時間が長いほど、大きな遅延スプレッドを有するチャネル、及び大きな伝搬遅延を有する環境に対して大きな頑健性を保証する。
【００４１】
特定の特徴によれば、１つの隣接する基地局又は隣接するホーム基地局を識別できるようにする各系列は、フレーム内に含まれる第１の系列及び第２の系列の組み合わせであり、各フレームはサブフレームから構成され、選択された受信系列は第１の系列であり、方法は、選択された受信系列を用いて識別される場合があり、且つ隣接する基地局又は隣接するホーム基地局によるシンボルのフレームの転送の開始と同時に、又は該開始からサブフレーム持続時間の倍数において受信され始めるシンボルのフレームを転送する場合がある、隣接する基地局又は隣接するホーム基地局を識別する各第２の系列を検出するステップをさらに含む。
【００４２】
それゆえ、無線セルラ通信ネットワーク内の第１の系列の数が少ないため、各第１の系列を識別することは容易である。第２の系列を検出することによって、２つのホーム基地局、又は１つのホーム基地局及び１つの基地局が間違って識別される場合があるのが避けられる。
【００４３】
特定の特徴によれば、ホーム基地局は、検出されない、無線セルラ通信ネットワーク内の少なくとも１つの第２の系列が存在する場合、１つの検出されない第２の系列を選択し、無線セルラ通信ネットワーク内の各第２の系列がそれぞれ検出される場合、別の第１の受信系列を選択するステップとをさらに含む。
【００４４】
それゆえ、移動端末が、同じ系列を有する２つのホーム基地局、又は１つの基地局及び１つのホーム基地局からの重なり合う系列を、できる限り受信しない。
【００４５】
特定の特徴によれば、ホーム基地局は、該ホーム基地局のセル内のシンボルのフレームの転送の開始をシフトするための複数の時間間隔を特定する。持続時間毎に、無線セルラ通信ネットワーク内の各第２の系列が検出される場合、別の第１の受信系列が選択される。
【００４６】
それゆえ、本発明によれば、１つの隣接する基地局又は１つの隣接するホーム基地局を識別できるようにする系列毎に、より多くのタイミング可能性が試験される。
【００４７】
特定の特徴によれば、ホーム基地局は、
検出されない、無線セルラ通信ネットワーク内の１つの基地局又はホーム基地局を識別できるようにする少なくとも１つの系列が存在するか否かを調べるステップと、
検出されない、無線セルラ通信ネットワーク内の１つの基地局又はホーム基地局を識別できるようにする少なくとも１つの系列が存在する場合、１つの基地局又はホーム基地局を識別できるようにする１つの検出されない系列を選択するステップと、
少なくとも１つの隣接する基地局又は隣接するホーム基地局によって転送される場合があるシンボルのフレームの受信の開始時に、ホーム基地局のセル内のシンボルのフレームを転送し始めるステップとをさらに含む。
【００４８】
それゆえ、第１の系列が近隣で用いられない場合、そのホーム基地局はその第１の系列を利用して、移動端末がいくつかの異なるホーム基地局から、又は１つのホーム基地局及び１つの基地局からいくつかの第１の系列を受信するのを避けることができ、それにより、いくつかの第１の系列を区別するのを不要にすることができる。
【００４９】
さらに、いくつかのホーム基地局、又は１つのホーム基地局及び１つの基地局の第１の系列を同期させることによって、より系統立てたタイミングが可能となり、その系列の数によって１つの基地局又は１つのホーム基地局を識別できるようにする機会を最大にする。
【００５０】
特定の特徴によれば、持続時間は、サブフレーム持続時間、又はサブフレーム持続時間の倍数とは異なる。
【００５１】
それゆえ、２つの異なるホーム基地局又は１つの基地局及び１つのホーム基地局の場合、移動端末が、１つの基地局又は１つのホーム基地局を識別できるようにする同じ系列を受信する場合、移動端末は、これらのホーム基地局から、又はこのホーム基地局及びこの基地局から、パイロットシンボルのような重なり合うシンボルを受信しない。
【００５２】
特定の特徴によれば、持続時間はシンボル持続時間、又はシンボル持続時間の倍数、又はガード期間持続時間、又はガード期間持続時間の倍数である。
【００５３】
それゆえ、特定された持続時間がシンボル持続時間又はシンボル持続時間の倍数である場合、移動端末は、できる限り、異なる複数のホーム基地局から、又は時間的に重なり合わない基地局及びホーム基地局から第１及び第２の系列を受信する。
【００５４】
その際、或る系列がデータとしか重なり合わない確率が最大にされる。時間平均し、それにより、データからの干渉の影響を小さくすることによって、その系列の系列検出及び電力測定を改善することができる。
【００５５】
持続時間がガード期間持続時間又はガード期間持続時間の倍数である場合、同じ系列を用いる同じ近隣内のホーム基地局及び基地局の数が最大にされる。
【００５６】
特定の特徴によれば、サブフレームにおいてパイロットシンボルが転送され、持続時間は、第１の系列及び第２の系列が１つの隣接するホーム基地局若しくは隣接する基地局によって転送されるパイロットシンボルと重なり合うか、若しくは１つの隣接するホーム基地局若しくは隣接する基地局によって転送される第１の系列若しくは第２の系列と重なり合うのを避けるように、又はホーム基地局によって転送されるパイロットシンボルが、１つの隣接するホーム基地局若しくは隣接する基地局によって転送されるパイロットシンボルと重なり合うか、若しくは１つの隣接するホーム基地局若しくは隣接する基地局によって転送される第１の系列若しくは第２の系列と重なり合うのを避けるように決定される。
【００５７】
それゆえ、移動端末は、できる限り、隣接するホーム基地局の、又は隣接する基地局の第１の系列、第２の系列及びパイロットシンボルと時間的に重なり合わない、ホーム基地局又は基地局からの第１の系列、第２の系列及びパイロットシンボルを受信する。
【００５８】
その際、第１の系列がデータとしか重なり合わず、第２の系列がデータとしか重なり合わず、且つパイロットシンボルがデータとしか重なり合わない確率が改善される。
【００５９】
時間平均し、それにより、データからの干渉の影響を小さくすることによって、第１の系列検出、第２の系列検出、及びパイロットシンボルによるチャネル推定を改善することができる。
【００６０】
本発明は、無線セルラ通信ネットワークにおいて、１つ若しくは複数のホーム基地局、又は１つ若しくは複数の基地局、又は１つ若しくは複数の基地局及び１つ若しくは複数のホーム基地局が、１つの基地局又はホーム基地局を識別できるようにする系列を転送するか否かを、移動端末によって判断するための方法であって、該移動端末は基地局又はホーム基地局のセル内に位置し、該移動端末と該基地局又はホーム基地局との間で転送されるシンボルは、ガード期間によって分離され、該方法は、該移動端末によって実行されるステップであって、
１つの基地局又は１つのホーム基地局を識別できるようにする系列を２回検出するステップと、
系列の２回の受信を分離する持続時間がガード期間よりも長いか否かを調べるステップと、
系列の２回の受信を分離する持続時間がガード期間よりも長い場合、２つのホーム基地局、又は２つの基地局、又は１つの基地局及び１つのホーム基地局が、受信系列によって識別されるものと判断するステップと、
系列の２回の受信を分離する持続時間がガード期間よりも短い場合、受信系列によって単一の基地局又はホーム基地局が識別されるものと判断するステップとを含むことを特徴とする、方法にも関する。
【００６１】
本発明は、無線セルラ通信ネットワークにおいて、１つ若しくは複数のホーム基地局、又は１つ若しくは複数の基地局、又は１つ若しくは複数の基地局及び１つ若しくは複数のホーム基地局が、１つの基地局又はホーム基地局を識別できるようにする系列を転送するか否かを特定するためのデバイスであって、該デバイスは基地局又はホーム基地局のセル内に位置する移動端末内に含まれ、該移動端末と該基地局又はホーム基地局との間で転送されるシンボルは、ガード期間によって分離され、該デバイスは、
１つの基地局又は１つのホーム基地局を識別できるようにする系列を２回検出する手段と、
系列の２回の受信を分離する持続時間がガード期間よりも長いか否かを調べる手段と、
系列の２回の受信を分離する持続時間がガード期間よりも長い場合、２つのホーム基地局、又は２つの基地局、又は１つの基地局及び１つのホーム基地局が、受信系列によって識別されるものと判断する手段と、
系列の２回の受信を分離する持続時間がガード期間よりも短い場合、受信系列によって単一の基地局又はホーム基地局が識別されるものと判断する手段とを備えることを特徴とする、デバイスにも関する。
【００６２】
それゆえ、移動端末は、同じ系列を、２つの異なるホーム基地局から受信するか、１つのホーム基地局及び１つの基地局から受信するかを区別することができる。移動端末は、この知識に基づいて、適切な同期、チャネル推定及び報告を適用することができる。
【００６３】
さらに別の態様によれば、本発明は、プログラム可能なデバイスに直接ロード可能にすることができるコンピュータプログラムであって、該コンピュータプログラムは、該コンピュータプログラムがプログラム可能なデバイス上で実行されるときに、本発明による方法のステップを実施するための命令又はコードの一部を含む、コンピュータプログラムに関する。
【００６４】
コンピュータプログラムに関連する特徴及び利点は、本発明による方法及び装置に関連して上記で説明したのと同じであるため、ここでは繰り返さない。
【００６５】
本発明の特徴は、実施形態の一例に関する以下の説明を読むことからさらに明らかになるはずであり、その説明は、添付の図面を参照しながら行なわれる。
【図面の簡単な説明】
【００６６】
【図１】本発明が実施される無線セルラ通信ネットワークを表す図である。
【図２】本発明が実施されるホーム基地局のアーキテクチャを表す図である。
【図３】本発明が実施される移動端末のアーキテクチャを表す図である。
【図４】本発明の第１の実現形態による、ホーム基地局によって実行されるアルゴリズムの一例を開示する図である。
【図５ａ】無線セルラ通信ネットワーク内のフレームの一例を開示する図である。
【図５ｂ】無線セルラ通信ネットワークの２つの連続した物理資源ブロックの一例を開示する図である。
【図６】本発明の第２の実現形態による、ホーム基地局によって実行されるアルゴリズムの一例を開示する図である。
【図７】本発明の第３の実現形態による、ホーム基地局によって実行されるアルゴリズムの一例を開示する図である。
【図８】本発明による移動端末によって実行されるアルゴリズムの一例を開示する図である。
【発明を実施するための形態】
【００６７】
図１は、本発明が実施される無線セルラ通信ネットワークを表す。
【００６８】
図１には、無線セルラ通信ネットワークの４つのホーム基地局ＨＢＳ並びに２つの移動端末ＭＴ１及びＭＴ２が示される。
【００６９】
４つのホーム基地局ＨＢＳ並びに２つの移動端末ＭＴ１及びＭＴ２のみが示されるが、さらに多くの数のホーム基地局ＨＢＳ及び／又はさらに多くの数の移動端末ＭＴが存在するときでも、本発明が機能することを理解することができる。
【００７０】
ホーム基地局ＨＢＳは、たとえば、自宅に配置され、ホーム基地局ＨＢＳに関連する移動端末ＭＴが無線セルラ通信ネットワークにアクセスできるようにし得る。
【００７１】
ホーム基地局ＨＢＳｉ（ただし、ｉ＝１〜４）は、エリアＣｉに位置する移動端末ＭＴによって転送される信号を受信することができる。ホーム基地局ＨＢＳｉは、エリアＣｉに位置する移動端末ＭＴが受信し、処理することができる信号を転送する。エリアＣｉは、ホーム基地局ＨＢＳｉのサービスエリア又はセルである。
【００７２】
移動端末ＭＴ１は、ホーム基地局ＨＢＳ１のセルＣ１内に、且つホーム基地局ＨＢＳ２のセルＣ２内に、且つホーム基地局ＨＢＳ３のセルＣ３内に、且つホーム基地局ＨＢＳ４のセルＣ４内に位置する。
【００７３】
移動端末ＭＴ２は、ホーム基地局ＨＢＳ２のセルＣ２内に、且つホーム基地局ＨＢＳ４のセルＣ４内に位置する。
【００７４】
アクセスゲートウエイＡＧが無線セルラ通信ネットワークに含まれる場合がある。アクセスゲートウエイＡＧは、ホーム基地局ＨＢＳを制御する場合があり、ホーム基地局ＨＢＳと、無線セルラ通信ネットワークの残りの部分とをインターフェースする場合がある。
【００７５】
ここで、少なくとも１つのホーム基地局ＨＢＳが、より大きなエリアをカバーするセルを有する基地局によって置き換えられる場合があることに留意されたい。
【００７６】
本発明によれば、各基地局は：
１つの隣接する基地局又は隣接するホーム基地局を識別できるようにする少なくとも１つのＰＳＣ系列（シーケンス：sequence）を受信し、
１つの隣接する基地局又は隣接するホーム基地局を識別できるようにする１つの受信した系列ＰＳＣを選択し、
ホーム基地局のセル内でのシンボルのフレームの転送の開始を、選択された受信系列を用いて識別される場合がある隣接する基地局又は隣接するホーム基地局によって転送される場合があるシンボルのフレームの受信の開始から、ガード期間に少なくとも等しい持続時間だけシフトする。
【００７７】
各移動端末ＭＴは：
基地局又はホーム基地局を識別できるようにする系列を２回検出し、
その系列の２回の受信を分離する時間間隔がガード期間よりも少なくとも長いか否かを調べ、
その系列の２回の受信を分離する時間間隔がガード期間よりも長い場合、受信された系列によって、２つのホーム基地局、又は１つの基地局及び１つのホーム基地局が識別されるものと判断し、
その系列の２回の受信を分離する時間間隔がガード期間よりも短い場合、受信された系列によって、単一の隣接する基地局又は隣接するホーム基地局が識別されるものと判断する。
【００７８】
図２は、本発明が実施されるホーム基地局のアーキテクチャを表す図である。
【００７９】
ホーム基地局ＨＢＳは、たとえば、バス２０１によって互いに接続される構成要素と、図４、図６及び図７において開示されるようなプログラムによって制御されるプロセッサ２００とからなるアーキテクチャを有する。
【００８０】
バス２０１は、プロセッサ２００を、リードオンリーメモリＲＯＭ２０２、ランダムアクセスメモリＲＡＭ２０３、無線インターフェース２０５及びネットワークインターフェース２０６にリンクする。
【００８１】
メモリ２０３は、図４、図６及び図７に開示されるようなアルゴリズムに関連するプログラムの変数及び命令を受信するように構成されるレジスタを含む。
【００８２】
プロセッサ２００は、ネットワークインターフェース２０６及び無線インターフェース２０５の動作を制御する。
【００８３】
リードオンリーメモリ２０２は、図４、図６及び図７において開示されるようなアルゴリズムに関連するプログラムの命令を含み、それらの命令は、ホーム基地局ＨＢＳが起動されるときに、ランダムアクセスメモリ２０３に転送される。
【００８４】
ホーム基地局ＨＢＳは、ネットワークインターフェース２０６を通して、通信ネットワークに接続される場合がある。たとえば、ネットワークインターフェース２０６はＤＳＬ（デジタル加入者線）モデム、又はＩＳＤＮ（統合デジタルサービス網）インターフェース等である。
【００８５】
ネットワークインターフェース２０６を通して、ホーム基地局ＨＢＳは、無線セルラ通信ネットワークの他のホーム基地局若しくは基地局ＢＳに、又は無線セルラ通信ネットワークのコアデバイスに、又はアクセスゲートウエイＡＧにメッセージを転送する場合がある。
【００８６】
無線インターフェース２０５及びネットワークインターフェース２０６は、移動端末ＭＴが遠隔通信デバイスとの通信を確立又は受信するときに、無線セルラ通信ネットワークにアクセスするために移動端末ＭＴによって用いられるホーム基地局ＨＢＳの資源である。
【００８７】
無線インターフェース２０５は、ダウンリンク送信モジュール及びアップリンク受信モジュールを備える。無線インターフェース２０５は、ダウンリンク受信モジュールも備える場合がある。
【００８８】
図３は、本発明が実施される移動端末のアーキテクチャを表す図である。
【００８９】
移動端末ＭＴは、たとえば、バス３０１によって互いに接続される構成要素と、図８において開示されるようなプログラムによって制御されるプロセッサ３００とからなるアーキテクチャを有する。
【００９０】
バス３０１は、プロセッサ３００を、リードオンリーメモリＲＯＭ３０２、ランダムアクセスメモリＲＡＭ３０３及び無線インターフェース３０５にリンクする。
【００９１】
メモリ３０３は、図８において開示されるようなアルゴリズムに関連するプログラムの変数及び命令を受信するように構成されるレジスタを含む。
【００９２】
プロセッサ３００は、無線インターフェース３０５の動作を制御する。
【００９３】
リードオンリーメモリ３０２は、図８において開示されるようなアルゴリズムに関連するプログラムの命令を含み、それらの命令は、移動端末ＭＴが起動されるときに、ランダムアクセスメモリ３０３に転送される。
【００９４】
図４は、本発明の第１の実現形態による、ホーム基地局によって実行されるアルゴリズムの一例を開示する。
【００９５】
より厳密には、本アルゴリズムは各ホーム基地局ＨＢＳのプロセッサ２００によって実行される。
【００９６】
たとえば、ホーム基地局ＨＢＳ４のプロセッサ２００によって実行されるときの本アルゴリズムが開示される。
【００９７】
ステップＳ４００において、プロセッサ２００は、ＰＳＣ系列検出を実行するように、無線インターフェース２０５に指示する。
【００９８】
同じステップにおいて、プロセッサ３００は、全ての検出されたＰＳＣ系列のリストを作成する。全ての検出された系列のリストは、これ以降、適切な系列のリストと呼ばれる。
【００９９】
ＰＳＣ系列は、図５ａを参照しながら説明されるように、フレームの所定の位置に配置される一次同期チャネルに含まれる。
【０１００】
図５ａは、無線セルラ通信ネットワーク内のフレームの一例を開示する。
【０１０１】
図５ａの例では、１つのフレームが１０個のサブフレームから構成される。図５ａは、先行するフレームの最後のサブフレームＳＦ１０’、及び現在のフレームのサブフレームＳＦ１、ＳＦ６及びＳＦ１０を示す。各サブフレームは、たとえば、１ミリ秒（ｍｓ）の持続時間を有する。
【０１０２】
周波数帯域は、たとえば、７．６８ＭＨｚに等しく、ＯＦＤＭシンボルの５１２サブキャリアに分解される。
【０１０３】
その周波数帯域の中央に位置する３００サブキャリアは２５個の物理資源ブロック(Physical Resource Blocks)（ＰＲＢ）に分解され、各ＰＲＢは１２個のサブキャリアを含む。
【０１０４】
ＰＲＢの持続時間は０．５ｍｓに等しい。それゆえ、１ｍｓのサブフレーム持続時間内に２つの連続した物理資源ブロックＰＲＢａ及びＰＲＢｂが含まれる。
【０１０５】
各ＰＲＢ内に７個の連続したＯＦＤＭシンボルが含まれる。
【０１０６】
ＰＳＣ系列は、その周波数帯域の中央に位置する７２サブキャリア又は６ＰＲＢ上の、現在のフレームの第１のサブフレームＳＦ１及び第６のサブフレームＳＦ６の時間領域においてＰＲＢａで表される第１のＰＲＢの第７のＯＦＤＭシンボル内にマッピングされる。
【０１０７】
ＳＳＣ系列は、その周波数帯域の中央に位置する７２サブキャリア又は６ＰＲＢ上の、現在のフレームの第１のサブフレームＳＦ１及び第６のサブフレームＳＦ６の時間領域においてＰＲＢａで表される第１のＰＲＢの第６のＯＦＤＭシンボル内にマッピングされる。
【０１０８】
次のステップＳ４０１において、プロセッサ２００は、無線セルラ通信ネットワークにおいて利用可能な全てのＰＳＣが検出されたか否かを調べる。
【０１０９】
利用可能な全てのＰＳＣ系列が検出される場合、プロセッサ２００は、ステップＳ４０４に進む。そうでない場合、プロセッサ２００はステップＳ４０２に進む。
【０１１０】
ステップＳ４０２において、プロセッサ２００は、ステップ４００において検出されなかった１つのＰＳＣ系列を選択し、ＳＳＣ系列も選択する。
【０１１１】
次のステップＳ４０３において、プロセッサ２００は、無線インターフェース２０５に対して、選択されたＰＳＣ系列及びＳＳＣ系列によって形成されるそのＰＣＩＤを含む、少なくとも１つのフレームを転送するように指示する。
【０１１２】
その後、プロセッサ２００は本アルゴリズムを中断する。
【０１１３】
たとえば、ＰＳＣ系列ＰＳＣ１はホーム基地局ＨＢＳ１のＰＳＣ系列であり、ＰＳＣ系列ＰＳＣ２はホーム基地局ＨＢＳ２のＰＳＣ系列であり、ＰＳＣ系列ＰＳＣ３はホーム基地局ＨＢＳ３のＰＳＣ系列である。
【０１１４】
ステップＳ４０４において、プロセッサ２００は、適切な系列のリストから１つのＰＳＣ系列を選択する。
【０１１５】
たとえば、プロセッサ２００は、ステップＳ４００において検出されたＰＳＣ系列の中で検出回数が少ないＰＳＣ系列を選択する。
【０１１６】
無線セルラ通信ネットワークにおいて３つのＰＳＣ系列ＰＳＣ１、ＰＳＣ２及びＰＳＣ３のみが利用可能であり、且つそれらの系列が全て隣接するホーム基地局ＨＢＳ１、ＨＢＳ２、ＨＢＳ３によって用いられるときに、プロセッサ２００は、たとえばＰＳＣ系列ＰＳＣ２を選択する。
【０１１７】
次のステップＳ４０５において、プロセッサ２００は、少なくとも１つのフレームを転送するのに適したタイミングを特定する。
【０１１８】
本発明によれば、そのフレームの転送は、隣接する基地局又はホーム基地局ＨＢＳによって転送されるか又は転送される場合があるフレームと比べてシフトされる。
【０１１９】
無線セルラ通信ネットワークが所与のフレーム構造を用いており、たとえば、それらのフレームが所定の持続時間を有し、且つ連続して転送されるとき、プロセッサ２００は、ステップＳ４００において実行されるＰＳＣ系列検出から、隣接する基地局又は隣接するホーム基地局のＰＳＣタイミング、それゆえ、この隣接する基地局又は隣接するホーム基地局がフレームを転送し始めることができる時点を知る。
【０１２０】
ＰＳＣ系列が、隣接するホーム基地局ＨＢＳによって転送される同じＰＳＣ系列と同時に転送されるのを避けるために、プロセッサ２００は、たとえば、フレームの転送を遅らせる。
【０１２１】
ＰＳＣ系列ＰＳＣ２が、隣接するホーム基地局ＨＢＳ２によって転送される同じＰＳＣ２系列と同時に転送されるのを避けるために、プロセッサ２００は、フレームの転送を遅らせる。
【０１２２】
移動端末ＭＴが、２つのＰＳＣ系列が２つの異なるホーム基地局ＨＢＳから到来するのを識別できるようにするために、その遅延は、ＯＦＤＭサイクリックプレフィックス又はガード期間よりも大きい。
【０１２３】
より大きな遅延スプレッドを伴うチャネル、また、より大きな伝搬遅延を伴う環境に対して、その遅延が大きいほど、大きな頑健性を保証する。
【０１２４】
その遅延は、１４シンボル持続時間、すなわち１サブフレーム持続時間の倍数とは異なる場合もある。これは、同じＰＳＣ系列を有するホーム基地局ＨＢＳが同じＳＳＣ系列も有するときに特に重要である。
【０１２５】
ＰＳＣ系列が互いに重なり合うのを避けるために、且つＳＳＣ系列が互いに重なり合うのを避けるために、その遅延は１シンボル持続時間に等しくなるように選択することができる。
【０１２６】
ＰＳＣ系列が互いに重なり合うのを避けるために、ＳＳＣ系列が互いに重なり合うのを避けるために、且つ或るホーム基地局からのＰＳＣ及び別のホーム基地局からのＳＳＣが互いに重なり合うのを避けるために、その遅延は２シンボル持続時間に等しくなるように選択することができる。
【０１２７】
無線セルラ通信ネットワークにおいてパイロットシンボルが転送される場合、パイロットシンボル、ＰＳＣ系列及びＳＳＣ系列が互いに干渉するか又は重なり合うのを避けるように、遅延が選択されなければならない。
【０１２８】
図５ｂは、無線セルラ通信ネットワークの２つの連続した物理資源ブロックの一例を開示する。
【０１２９】
図５ｂの例では、それぞれシンボルＳ１〜Ｓ７及びＳ８〜Ｓ１４を含む２つの連続したＰＳＲが示される。
【０１３０】
それらのＰＲＢはサブキャリアｆ１〜ｆ１２を含む。
【０１３１】
ＰＲＢにはパイロットシンボル又は基準シンボルが含まれる。
【０１３２】
図５ｂは、ホーム基地局が４つのアンテナを備える例である。
【０１３３】
Ｒ０で表されるパイロットシンボルはサブフレームを転送するホーム基地局ＨＢＳの第１のアンテナのためのパイロットシンボルであり、Ｒ１で表されるパイロットシンボルはサブフレームを転送するホーム基地局ＨＢＳの第２のアンテナのためのパイロットシンボルであり、Ｒ２で表されるパイロットシンボルはサブフレームを転送するホーム基地局ＨＢＳの第３のアンテナのためのパイロットシンボルであり、Ｒ３で表されるパイロットシンボルはサブフレームを転送するホーム基地局ＨＢＳの第４のアンテナのためのパイロットシンボルである。
【０１３４】
図５ｂの例によれば、パイロットシンボルは、各ＰＲＢの第１、第２及び第５のシンボルにおいて転送される。
【０１３５】
図５ｂの例によれば、ＰＳＣ系列及び／又はＳＳＣ系列が第１、第２及び第５のシンボル上に存在するのを避けるように、遅延が選択されなければならない。
【０１３６】
次のステップＳ４０６において、プロセッサ２００は、ホーム基地局ＨＢＳ４の場合に特定されるのと同じＰＳＣ系列を使用しており、且つホーム基地局ＨＢＳ４によって特定されるのと同じ遅延で、又はホーム基地局ＨＢＳ４によって特定されるのと同じ遅延に、サブフレーム持続時間の整数倍を加えた遅延でフレームを転送する、隣接する基地局又はホーム基地局ＨＢＳによって用いられる全てのＳＳＣ系列を検出するように、無線インターフェース２０５に指示する。
【０１３７】
次のステップＳ４０７において、プロセッサ２００は、無線セルラ通信ネットワークにおいて利用可能な全てのＳＳＣ系列が検出されたか否かを調べる。
【０１３８】
無線セルラ通信ネットワークにおいて利用可能な全てのＳＳＣ系列が検出される場合、プロセッサ２００はステップＳ４１０に進む。そうでない場合、プロセッサ２００はステップＳ４０８に進む。
【０１３９】
ステップＳ４０８において、プロセッサ２００は、検出されていない、無線セルラ通信ネットワークにおいて利用可能な１つのＳＳＣ系列を選択する。
【０１４０】
次のステップＳ４０９において、プロセッサ２００は、特定された遅延に対応するタイミングで少なくとも１つのフレームを転送するように、無線インターフェース２０５に指示する。そのフレームは、選択されたＰＳＣ系列及びＳＳＣ系列によって形成されるＰＣＩＤを含む。
【０１４１】
その後、プロセッサ２００は本アルゴリズムを中断する。
【０１４２】
ステップＳ４１０において、プロセッサ２００は、適切なＰＳＣ系列のリストから、ステップＳ４０４において選択されたＰＳＣ系列を削除する。
【０１４３】
次のステップＳ４１１において、プロセッサ２００は、適切なＰＳＣ系列のリストが空であるか否か、すなわち、適切なＰＳＣ系列のリスト内に少なくとも１つのＰＳＣ系列が残っているか否かを調べる。
【０１４４】
適切なＰＳＣのリストが空である場合、プロセッサ２００はステップＳ４１２に進む。
【０１４５】
そうでない場合、プロセッサ２００はステップＳ４０４に進み、別のＰＳＣ系列を選択して、既に記述されているステップＳ４０４〜Ｓ４１１によって構成されるループを実行する。
【０１４６】
ステップＳ４１２において、プロセッサ２００は、無線インターフェース２０５によって受信されたＰＳＣ系列のうちの１つを選択する。
【０１４７】
たとえば、プロセッサ２００は、無線インターフェース２０５によって受信された回数が最も少ないＰＳＣ系列、すなわち、ステップＳ４０５において特定された対応する遅延を有する最初に選択されたＰＳＣ系列と、その選択されたＰＳＣ系列を含む対の中で最も低い電力で受信されたＰＳＣ−ＳＳＣ系列対に対応するＳＳＣ系列とを選択する。
【０１４８】
次のステップＳ４１３において、プロセッサ２００は、特定された遅延に対応するタイミングで少なくとも１つのフレームを転送するように、無線インターフェース２０５に指示する。そのフレームは、選択されたＰＳＣ系列及びＳＳＣ系列によって形成されるＰＣＩＤを含む。
【０１４９】
その後、プロセッサ２００は本アルゴリズムを中断する。
【０１５０】
図６は、本発明の第２の実現形態による、ホーム基地局によって実行されるアルゴリズムの一例を開示する。
【０１５１】
より厳密には、本アルゴリズムは、各ホーム基地局ＨＢＳのプロセッサ２００によって実行される。
【０１５２】
たとえば、ホーム基地局ＨＢＳ４のプロセッサ２００によって実行されるときの本アルゴリズムが開示される。
【０１５３】
ステップＳ６００において、プロセッサ２００は、ＰＳＣ系列検出を実行するように、無線インターフェース２０５に指示する。
【０１５４】
ＰＳＣ系列は、図５ａを参照しながら説明されるように、フレームの所定の位置に配置される一次同期チャネルに含まれる。
【０１５５】
同じステップにおいて、プロセッサ２００は、全ての検出されたＰＳＣ系列のリストを作成する。全ての検出された系列のリストは、これ以降、適切な系列のリストと呼ばれる。
【０１５６】
次のステップＳ６０１において、プロセッサ２００は、無線セルラ通信ネットワークにおいて利用可能な全てのＰＳＣ系列が検出されたか否かを調べる。
【０１５７】
利用可能な全てのＰＳＣ系列が検出される場合、プロセッサ２００はステップＳ６０４に進む。そうでない場合、プロセッサ２００はステップＳ６０２に進む。
【０１５８】
ステップＳ６０２において、プロセッサ２００は、ステップＳ６００において検出されない１つの利用可能なＰＳＣ系列を選択し、ＳＳＣ系列も選択する。
【０１５９】
次のステップＳ６０３において、プロセッサ２００は、無線インターフェース２０５に対して、選択されたＰＳＣ系列及びＳＳＣ系列によって形成されるそのＰＣＩＤを含む、少なくとも１つのフレームを転送するように指示する。
【０１６０】
その後、プロセッサ２００は本アルゴリズムを中断する。
【０１６１】
たとえば、ＰＳＣ系列ＰＳＣ１はホーム基地局ＨＢＳ１のＰＳＣ系列であり、ＰＳＣ系列ＰＳＣ２はホーム基地局ＨＢＳ２のＰＳＣ系列であり、ＰＳＣ系列ＰＳＣ３はホーム基地局ＨＢＳ３のＰＳＣ系列である。
【０１６２】
ステップＳ６０４において、プロセッサ２００は、適切な系列のリスト内の１つのＰＳＣ系列を選択する。
【０１６３】
たとえば、プロセッサ２００は、ステップＳ６００において検出されたＰＳＣ系列の中で検出回数が少ないＰＳＣ系列を選択する。
【０１６４】
無線セルラ通信ネットワークにおいて３つのＰＳＣ系列ＰＳＣ１、ＰＳＣ２及びＰＳＣ３のみが利用可能であり、且つそれらの系列が全て隣接するホーム基地局ＨＢＳ１、ＨＢＳ２、ＨＢＳ３によって用いられるときに、プロセッサ２００は、たとえば、ＰＳＣ系列ＰＳＣ２を選択する。
【０１６５】
次のステップＳ６０５において、プロセッサ２００は、少なくとも１つのフレームを転送するのに適した複数のタイミングを特定する。特定されるタイミングはそれぞれ、図４のステップＳ４０５において開示される条件に対応する。それらの適切なタイミングは、適切なタイミングのリストに格納される。
【０１６６】
同じステップにおいて、プロセッサ２００は、適切なタイミングのリスト内の特定されたタイミングのうちの１つを選択する。
【０１６７】
次のステップＳ６０６において、プロセッサ２００は、ホーム基地局ＨＢＳ４と同じＳＳＣ系列を使用しており、且つホーム基地局ＨＢＳ４によって特定されるのと同じ遅延で、又はホーム基地局ＨＢＳ４によって特定されるのと同じ遅延にサブフレーム持続時間の整数倍を加えた遅延でフレームを転送する、隣接するホーム基地局ＨＢＳによって用いられる全てのＳＳＣ系列を検出するように、無線インターフェース２０５に指示する。
【０１６８】
次のステップＳ６０７において、プロセッサ２００は、無線セルラ通信ネットワークにおいて利用可能な全てのＳＳＣ系列がステップＳ６０６において検出されたか否かを調べる。
【０１６９】
利用可能な全てのＳＳＣ系列が検出される場合、プロセッサ２００はステップＳ６１０に進む。そうでない場合、プロセッサ２００はステップＳ６０８に進む。
【０１７０】
ステップＳ６０８において、プロセッサ２００は、ステップＳ６０６において検出されなかった１つのＳＳＣ系列を選択する。
【０１７１】
次のステップＳ６０９において、プロセッサ２００は、特定された遅延に対応するタイミングで少なくとも１つのフレームを転送するように、無線インターフェース２０５に指示する。そのフレームは、選択されたＰＳＣ系列及びＳＳＣ系列によって形成されるＰＣＩＤを含む。
【０１７２】
その後、プロセッサ２００は本アルゴリズムを中断する。
【０１７３】
ステップＳ６１０において、プロセッサ２００は、適切なタイミングのリストから、選択されたタイミングを削除する。
【０１７４】
次のステップＳ６１１において、プロセッサ２００は、適切なタイミングのリストが空であるか否か、すなわち、適切なタイミングのリスト内に少なくとも１つの適切なタイミングが残っているか否かを調べる。
【０１７５】
適切なタイミングのリストが空である場合、プロセッサ２００はステップＳ６１２に進む。そうでない場合、プロセッサ２００はステップＳ６１５に進む。
【０１７６】
ステップＳ６１５において、プロセッサ２００は、適切なタイミングのリスト内の別の適切なタイミングを選択し、既に説明されているステップＳ６０６に戻る。
【０１７７】
ステップＳ６１２において、プロセッサ２００は、適切なＰＳＣ系列のリストから、ステップＳ６０４において選択されたＰＳＣ系列を削除する。
【０１７８】
次のステップＳ６１３において、プロセッサ２００は、適切なＰＳＣ系列のリストが空であるか否か、すなわち、適切なＰＳＣ系列のリスト内に少なくとも１つのＰＳＣ系列が残っているか否かを調べる。
【０１７９】
適切なＰＳＣのリストが空である場合、プロセッサ２００はステップＳ６１４に進む。
【０１８０】
そうでない場合、プロセッサ２００はステップＳ６０４に進み、別のＰＳＣ系列を選択する。
【０１８１】
ステップＳ６１４において、プロセッサ２００は、無線インターフェース２０５によって受信されたＰＳＣ系列のうちの１つを選択する。
【０１８２】
たとえば、プロセッサ２００は、受信された回数が少ないＰＳＣ系列、すなわち、対応する最初に選択された適切なタイミングを有する最初に選択されたＰＳＣ系列と、その選択されたＰＳＣ系列を含む対の中で最も低い電力で受信された対に対応するＳＳＣ系列とを選択する。
【０１８３】
同じステップにおいて、プロセッサ２００は、特定された遅延に対応するタイミングで少なくとも１つのフレームを転送するように、無線インターフェース２０５に指示する。そのフレームは、選択されたＰＳＣ系列及びＳＳＣ系列によって形成されるＰＣＩＤを含む。
【０１８４】
その後、プロセッサ２００は本アルゴリズムを中断する。
【０１８５】
図７は、本発明の第３の実現形態による、ホーム基地局によって実行されるアルゴリズムの一例を開示する。
【０１８６】
より厳密には、本アルゴリズムは、各ホーム基地局ＨＢＳのプロセッサ２００によって実行される。
【０１８７】
たとえば、ホーム基地局ＨＢＳ４のプロセッサ２００によって実行されるときの本アルゴリズムが開示される。
【０１８８】
ステップＳ７００において、プロセッサ２００は、ＰＣＩＤ検出、すなわちＰＳＣ系列及びＳＳＣ系列対の検出を実行するように、無線インターフェース２０５に指示する。
【０１８９】
次のステップＳ７０１において、プロセッサ２００は、無線セルラ通信ネットワークにおいて利用可能な全てのＰＣＩＤ系列が検出されたか否かを調べる。
【０１９０】
利用可能な全てのＰＣＩＤ系列が検出される場合、プロセッサ２００はステップＳ７０３に進む。そうでない場合、プロセッサ２００はステップＳ７０２に進む。
【０１９１】
ステップＳ７０２において、プロセッサ２００は、ステップＳ７００において検出されなかった１つのＰＣＩＤ系列を選択し、選択されたＰＣＩＤ系列を含む少なくとも１つのフレームを転送するように、無線インターフェース２０５に指示する。
【０１９２】
その後、プロセッサ２００は本アルゴリズムを中断する。
【０１９３】
ステップＳ７０３において、プロセッサ２００は、ステップＳ７００において検出されたＰＳＣ系列、すなわち、無線セルラ通信ネットワークにおいて利用可能な全てのＰＳＣ系列を含む、適切なＰＳＣ系列のリストを作成する。
【０１９４】
次のステップＳ７０４において、プロセッサ２００は、適切なＰＳＣ系列のリスト内の１つの検出されたＰＳＣ系列を選択する。
【０１９５】
たとえば、プロセッサ２００は、ステップＳ７００において検出されるＰＳＣ系列の中で検出回数が少ないＰＳＣ系列を選択する。
【０１９６】
次のステップＳ７０５において、プロセッサ２００は、少なくとも１つのフレームを転送するのに適している複数のタイミングを特定する。特定された各タイミングは、図４のステップＳ４０５において開示される条件に対応する。その適切なタイミングは、適切なタイミングのリストに格納される。
【０１９７】
同じステップにおいて、プロセッサ２００は、適切なタイミングのリスト内の特定された適切なタイミングのうちの１つを選択する。
【０１９８】
次のステップＳ７０６において、プロセッサ２００は、ホーム基地局ＨＢＳ４と同じＰＳＣ系列を使用しており、且つホーム基地局ＨＢＳ４によって特定されるのと同じ遅延で、又はホーム基地局ＨＢＳ４によって特定されるのと同じ遅延に、サブフレーム持続時間の整数倍を加えた遅延でフレームを転送する、隣接するホーム基地局ＨＢＳによって用いられる全てのＳＳＣ系列を検出するように、無線インターフェース２０５に指示する。
【０１９９】
次のステップＳ７０７において、プロセッサ２００は、無線セルラ通信ネットワークにおいて利用可能な全てのＳＳＣ系列がステップＳ７０６において検出されたか否かを調べる。
【０２００】
利用可能な全てのＳＳＣ系列が検出される場合、プロセッサ２００はステップＳ７１０に進む。そうでない場合、プロセッサ２００はステップＳ７０８に進む。
【０２０１】
ステップＳ７０８において、プロセッサ２００は、ステップＳ７０６において検出されなかった１つのＳＳＣ系列を選択する。
【０２０２】
次のステップＳ７０９において、プロセッサ２００は、特定された遅延に対応するタイミングで少なくとも１つのフレームを転送するように、無線インターフェース２０５に指示する。そのフレームは、選択されたＰＳＣ系列及びＳＳＣ系列により形成されたＰＣＩＤを含む。
【０２０３】
その後、プロセッサ２００は本アルゴリズムを中断する。
【０２０４】
ステップＳ７１０において、プロセッサ２００は選択されたタイミングを適切なタイミングのリストから削除する。
【０２０５】
次のステップＳ７１１において、プロセッサ２００は、適切なタイミングのリストが空であるか否か、すなわち、適切なタイミングのリスト内に少なくとも１つの適切なタイミングが残っているか否かを調べる。
【０２０６】
適切なタイミングのリストが空である場合、プロセッサ２００はステップＳ７１２に進む。そうでない場合、プロセッサ２００はステップＳ７１５に進む。
【０２０７】
ステップＳ７１５において、プロセッサ２００は、適切なタイミングのリスト内の別の適切なタイミングを選択し、既に記述されているステップＳ７０６に戻る。
【０２０８】
ステップＳ７１２において、プロセッサ２００は、適切なＰＳＣ系列のリストから、ステップＳ７０４において選択されたＰＳＣ系列を削除する。
【０２０９】
次のステップＳ７１３において、プロセッサ２００は、適切なＰＳＣ系列のリストが空であるか否か、すなわち、適切なＰＳＣ系列のリスト内に少なくとも１つの適切なＰＳＣ系列が残っているか否かを調べる。
【０２１０】
適切なＰＳＣ系列のリストが空である場合、プロセッサ２００はステップＳ７１４に進む。
【０２１１】
そうでない場合、プロセッサ２００はステップＳ７０４に進み、別のＰＳＣ系列を選択する。
【０２１２】
ステップＳ７１４において、プロセッサ２００は、無線インターフェース２０５によって受信されたＰＳＣ系列のうちの１つを選択する。
【０２１３】
たとえば、プロセッサ２００は、出現回数が少ないＰＳＣ系列、すなわち、対応する最初に選択されたタイミングを有する最初に選択されたＰＳＣ系列と、選択されたＰＳＣ系列を含む対の中の最も低い電力で受信された対に対応するＳＳＣ系列とを選択する。
【０２１４】
同じステップにおいて、プロセッサ２００は、特定された遅延に対応するタイミングで少なくとも１つのフレームを転送するように、無線インターフェース２０５に指示する。そのフレームは、選択されたＰＳＣ系列及びＳＳＣ系列によって形成されるＰＣＩＤを含む。
【０２１５】
その後、プロセッサ２００は本アルゴリズムを中断する。
【０２１６】
図８は、本発明による移動端末によって実行されるアルゴリズムの一例を開示する。
【０２１７】
より厳密には、本アルゴリズムは、各移動端末ＭＴのプロセッサ３００によって実行される。
【０２１８】
移動端末ＭＴ１のプロセッサ３００によって実行されるときの本アルゴリズムが開示される。
【０２１９】
ステップＳ８００において、プロセッサ３００は、ＰＳＣ系列検出を実行するように、無線インターフェース３０５に指示する。
【０２２０】
移動端末ＭＴ１はセルＣ１、Ｃ２、Ｃ３及びＣ４に位置するため、無線インターフェース３０５は、ＰＳＣ系列ＰＳＣ１、ＰＳＣ２及びＰＳＣ３の受信を検出する。
【０２２１】
次のステップＳ８０１において、プロセッサ３００は、１つの同じＰＳＣ系列が無線インターフェース３０５によって２回検出されたか否かを調べる。
【０２２２】
無線インターフェース３０５によってＰＳＣ系列が２回検出されていない場合、プロセッサ３００は本アルゴリズムを中断する。
【０２２３】
無線インターフェース３０５によってＰＳＣ系列が２回検出されている場合、プロセッサ３００はステップＳ８０２に進む。
【０２２４】
ここで、マルチパスの場合、ＰＳＣ系列を一度だけ転送する場合でも、複数の相関ピークが検出される場合があることに留意されたい。
【０２２５】
移動端末ＭＴ１は、ＰＳＣ系列ＰＳＣ２の２回の受信を検出する。
【０２２６】
ステップＳ８０２において、プロセッサ３００は、そのＰＳＣ系列のための最初のピークと最後のピークとの間の検出時間の差が２つのシンボルを分離するガード期間よりも短いか否かを調べる。
【０２２７】
ガード期間は移動端末ＭＴ１によって予め決定され、知られている。
【０２２８】
そのＰＳＣ系列の検出時間の差が２つのシンボルを分離するガード期間よりも短い場合、プロセッサ３００はステップＳ８０３に進む。
【０２２９】
そのＰＳＣ系列の検出時間の差が２つのシンボルを分離するガード期間以上である場合、プロセッサ３００はステップＳ８０４に進む。
【０２３０】
ステップＳ８０３において、プロセッサ３００は、２回受信されたＰＳＣ系列が同じホーム基地局ＨＢＳによって転送されているものと判断する。
【０２３１】
その後、プロセッサ３００は本アルゴリズムを中断する。
【０２３２】
ステップＳ８０４において、プロセッサ３００は、２回受信されたＰＳＣ系列が２つの異なるホーム基地局ＨＢＳによって転送されているものと判断する。
【０２３３】
その際、移動端末ＭＴ１は、ホーム基地局ＨＢＳ２によって転送されるＰＳＣ系列ＰＣ２と、ホーム基地局ＨＢＳ４によって転送されるＰＳＣ系列ＰＣ２とを区別することができる。
【０２３４】
その後、プロセッサ３００は、本アルゴリズムを中断する。
【０２３５】
本質的に、本発明の範囲から逸脱することなく、上記の本発明の実施形態に対して数多くの変更を行なうことができる。
【図１】
0005599672.tif 000002
【図２】
0005599672.tif 000003
【図３】
0005599672.tif 000004
【図４】
0005599672.tif 000005
【図５ａ】
0005599672.tif 000006
【図５ｂ】
0005599672.tif 000007
【図６】
0005599672.tif 000008
【図７】
0005599672.tif 000009
【図８】
0005599672.tif 000010